(57)【要約】【課題】スロッシングによる溢水量を可能な限り抑制することにより、下階に溢れる可能性及び最地下階の重要設備に対して影響を与える可能性を低減させ、原子力発電所等における信頼性向上を図る。【解決手段】燃料貯蔵プールとしての容器１内に収容した水の水面２から床面３まで、余裕をある程度考慮した設計とし、容器１の縁部近傍には、水面２よりも高い溢水防止用の治具４が設置し、治具４は、容器縁部から起立する起立壁５と、この起立壁に摺動用連結具６を介して上下に移動可能な移動壁７とを有し、移動壁７の上端には、略水平なスロッシング抑え用の横向き片７ａを設ける。【選択図】  図１
2006329799.tif 000002
【特許請求の範囲】
【請求項１】
液体を収容する容器の縁部近傍に、前記液体の液面よりも高い溢水防止用の治具を設置したことを特徴とするスロッシング溢水防止装置。
【請求項２】
液体を収容する容器の縁部近傍に、上下方向に伸縮可能な溢水防止用の治具を設置した請求項１記載のスロッシング溢水防止装置。
【請求項３】
前記治具に加え、前記容器から溢水した水を前記容器に戻すドレン機構を有する請求項１記載のスロッシング溢水防止装置。
【請求項４】
前記ドレン機構に、水の逆流を防止する逆止弁を設けた請求項２記載のスロッシング溢水防止装置。
【請求項５】
前記治具を、複数の分割型として構成した請求項１記載のスロッシング溢水防止装置。
【請求項６】
前記容器の近傍に設置された構造物に接触する可能性がある個所に、あらかじめ衝撃緩衝用の治具を設置した請求項１記載のスロッシング溢水防止装置。
【請求項７】
前記溢水防止用の治具は、液体を収容する前記容器の外周側の堰または床上から立上る支柱に支持された可撓性または伸縮性の防水シートである請求項１記載のスロッシング溢水防止装置。
【請求項８】
前記防水シートに、補強ワイヤが設けられている請求項７記載のスロッシング溢水防止装置。
【請求項９】
前記容器の周囲の床面に設けられた大物搬入口の周囲に、水密材料製の囲いが設けられている請求項１記載のスロッシング溢水防止装置。
【発明の詳細な説明】
【技術分野】
【０００１】
本発明は、原子力発電所における燃料貯蔵プール等の容器のスロッシングによる溢水を防止するスロッシング溢水防止装置に関する。
【背景技術】
【０００２】
原子力発電所に設置される燃料貯蔵プールは、地震時にスロッシング現象が発生し、プール水が揺動し、液位の上昇によりプール水がフロアに溢水する可能性がある。
【０００３】
例えば、プール水の水面が上昇し、フロアに溢水した場合、ある一定量以下であればフロアに滞留し、プール下階に溢れていくことはなく、かつ最地下階にあるドレンサンプタンクに貯蔵することとなる。
【０００４】
しかしながら、フロアへの溢水がこの一定量を超える可能性もあり、また最地下階にあるドレンサンプタンクの容量も小さいことから、最地下階でタンクより溢水し、重要設備に対して影響を与える可能性も否定できない。また、現時点でスロッシングによる溢水に対する対策を発電所内設備は特に考慮してはいない。
【０００５】
図２２に従来の燃料貯蔵プールの断面構成を示す。燃料貯蔵プール１内の水面２から周縁の床面３までは、余裕をある程度考慮した設計になっており、プール周縁部には柵３ａが設けられている。このような構成の燃料貯蔵プールにおいては、地震時の力の伝わりを考慮すると、スロッシング防止に対して決して十分ではなく、何らかの対策が必要である。
【０００６】
そこで従来では、既設の柵３ａ等を利用してシートを張り、溢水防止用壁とするなど応急処置的な対策を施している。しかし、スロッシングが発生した場合にはシートによっては溢水を必ずしも支えきれず、柵が倒れてしまう可能性も否定できない。
【０００７】
さらに、従来ではスロッシング溢水防止装置として、プール水中に水平な板を浸漬してスロッシングを抑制する提案がなされている（例えば、特許文献１参照）。
【０００８】
しかし、このような従来のスロッシング防止装置の構成は、新規プラントでは予め建設当初から計画して設置すれば有効であるものの、既設のプラントに新規で追加工事などを反映するためには、工事期間や放射線による汚染の影響、廃棄物の管理など課題が多く、現実的ではない。
【０００９】
また、ドレン水に関しても現状のプラントにおいては、ドレン配管などを用いて排水する系統になっているが、水位低による燃料の安全を保障していない。
【特許文献１】特開平８−１０１２９６号公報
【発明の開示】
【発明が解決しようとする課題】
【００１０】
上述のように、現時点ではスロッシングによる十分な溢水対策が講じられていないため、重要設備に対して影響を与える可能性が否定できない。
【００１１】
本発明は、このような事情に鑑みてなされたもので、スロッシングによる溢水量を可能な限り抑制することにより、下階に溢れる可能性及び最地下階の重要設備に対して影響を与える可能性を低減させ、原子力発電所等における信頼性向上を図ることを目的とする。
【００１２】
また、本発明は、既設設備の可動範囲の妨げにならないように、必要個所については衝立を一定以上上昇しないなどの対策を講じることを目的とする。
【００１３】
さらに、本発明は、水位低になった際にドレンを、容器内に自動的に溢水を戻すことにより安全対策を図ることを目的とする。
【課題を解決するための手段】
【００１４】
前記の目的を達成するために、請求項１に係る発明では、液体を収容する容器の縁部近傍に、前記液体の液面よりも高い溢水防止用の治具を設置したことを特徴とするスロッシング溢水防止装置を提供する。
【００１５】
請求項２に係る発明では、液体を収容する容器の縁部近傍に、上下方向に伸縮可能な溢水防止用の治具を設置した請求項１記載のスロッシング溢水防止装置を提供する。
【００１６】
請求項３に係る発明では、前記治具に加え、前記容器から溢水した水を前記容器に戻すドレン機構を有する請求項１記載のスロッシング溢水防止装置を提供する。
【００１７】
請求項４に係る発明では、前記ドレン機構に、水の逆流を防止する逆止弁を設けた請求項２記載のスロッシング溢水防止装置を提供する。
【００１８】
請求項５に係る発明では、前記治具を、複数の分割型として構成した請求項１記載のスロッシング溢水防止装置を提供する。
【００１９】
請求項６に係る発明では、前記容器の近傍に設置された構造物に接触する可能性がある個所に、あらかじめ衝撃緩衝用の治具を設置した請求項１記載のスロッシング溢水防止装置を提供する。
【００２０】
請求項７に係る発明では、前記溢水防止用の治具は、液体を収容する前記容器の外周側の堰または床上から立上る支柱に支持された可撓性または伸縮性の防水シートであるスロッシング溢水防止装置を提供する。
【００２１】
請求項８に係る発明では、前記防水シートに、補強ワイヤが設けられているスロッシング溢水防止装置を提供する。
【００２２】
請求項９に係る発明では、前記容器の周囲の床面に設けられた大物搬入口の周囲に、水密材料製の囲いが設けられているスロッシング溢水防止装置を提供する。
【発明の効果】
【００２３】
本発明によれば、液体を収容する容器の縁部近傍に、前記液体の液面よりも高い溢水防止用の治具を設置することにより、スロッシングによる溢水量を可能な限り抑制することにより、下階に溢れる可能性及び最地下階の重要設備に対して影響を与える可能性を低減させ、原子力発電所等における信頼性向上を図ることができる。
【発明を実施するための最良の形態】
【００２４】
以下、本発明に係るスロッシング溢水防止装置の実施形態について、図１〜図１４を参照して説明する。
【００２５】
［第１実施形態（図１及び図２）］
図１および図２は、本発明の第１実施形態によるスロッシング溢水防止装置の設置断面図を示している。
【００２６】
図１に示すように、燃料貯蔵プールとしての容器１内に収容した水の水面２から床面３までは、余裕をある程度考慮した設計となっており、容器１の縁部近傍には、水面２よりも高い溢水防止用の治具４が設置されている。
【００２７】
治具４は、容器縁部から起立する起立壁５と、この起立壁に摺動用連結具６を介して上下に移動可能な移動壁７とを有し、移動壁７の上端には、略水平なスロッシング抑え用の横向き片７ａが例えば水平に設けられている。起立壁５は容器１の周縁部に沿って連続的に、または間隔的に配設される。
【００２８】
そして、治具４は、液体を収容する容器の縁部近傍に、上下方向に伸縮可能な進展機構を有する溢水防止用の治具として構成されている。
【００２９】
このような第１実施形態の構成によると、通常時は図１に示すように、治具４が燃料貯蔵プール作業の妨げにならない高さに収納されており、水面２が上昇した際には、図２に示すように治具４の一部が上昇することによって、通常時のレベルよりも高い水面２に対して対応することが可能で、溢水する量を低減することが可能である。
【００３０】
なお、図１には治具４の一例として起立壁５に一段構成の移動壁７を設けた２連結構成を例示しているが、例えば移動壁７を２段以上とする等、さらに複数に分割した構成とすることも可能である。
【００３１】
また伸展機構に関しては、汎用されている一連の機構が適用可能で、特にベアリングやカーボンなどを用いたレール機構や、差し棒や釣り竿に用いられている機構（ロッドアンテナ機構等）を適用することが可能である。
【００３２】
また、伸展機構に対し、伸展するスピードをコントロールする油圧機構などの伸展速度調節機構を付加することによって、治具４が伸展する際、同時に水勢を減衰させることも可能である。
【００３３】
［第２実施形態（図３、及び図１、２）］
図３は、本発明に係るスロッシング溢水防止装置の第２実施形態を示している。
【００３４】
本実施形態では、第１実施形態に示した治具４の設置場所を若干プールから離す構成となっている。すなわち、燃料貯蔵プールとしての容器１内に収容した水の水面２から床面３までは、余裕をある程度考慮した設計となっており、容器１の縁部から床側に寄った位置に、水面２よりも高い溢水防止用の治具４が設置されている。
【００３５】
なお、図３では治具４を簡略的に示しているが、図１に示したように、容器縁部から起立する起立壁５と、この起立壁に摺動用連結具６を介して上下に移動可能な移動壁７とを有し、移動壁７の上端には、略水平なスロッシング抑え用の横向き片７ａが設けられている。
【００３６】
すなわち、この治具４は、液体を収容する容器の縁部近傍に、上下方向に伸縮可能な進展機構を有する溢水防止用の治具として構成されている。
【００３７】
このように構成された本実施形態のスロッシング溢水防止装置においては、冷却水の水面２の高さがプールから離れるほど低くなるので、治具の高さを低く設計することが可能である。
【００３８】
［第３実施形態（図４、５及び図１、２）］
図４，５は、本発明に係るスロッシング溢水防止装置の第３実施形態を示している。
【００３９】
図４は、第１実施形態に治具４をプールと反対側に向って所定角度で傾斜する設定する条件を付加した一例を示している。すなわち、治具４は、床面３側に対して傾倒した構成としている。
【００４０】
なお、本実施形態でも、第１実施形態に示した治具４の設置場所を若干プールから離す構成となっている。すなわち、燃料貯蔵プールとしての容器１内に収容した水の水面２から床面３までは、余裕をある程度考慮した設計となっており、容器１の縁部から床側に寄った位置に、水面２よりも高い溢水防止用の治具４が設置されている。
【００４１】
また、治具４は、図１に示したように、容器縁部から起立する起立壁５と、この起立壁に摺動用連結具６を介して上下に移動可能な移動壁７とを有し、移動壁７の上端には、略水平なスロッシング抑え用の横向き片７ａが設けられている。
【００４２】
すなわち、この治具４は、液体を収容する容器の縁部近傍に、上下方向に伸縮可能な進展機構を有する溢水防止用の治具として構成されている。
【００４３】
図５は、図４の場合と逆に、第１実施形態の構成による治具４の設置角度を、プール側に限定する条件を付加した一例を示している。すなわち、治具４を水面２側に傾倒した構成としている。
【００４４】
この図５に示すように設置した構成によると、水位が上昇した際に一部の水をプールに返すことが可能であり、波の減衰効果が期待される。しかし、この取付角度においては、燃料貯蔵プール作業時にクレーン作業の妨げになってしまう可能性があり、工事に支障が発生してしまう。そこで、図４に示すように設置された本実施形態においては、他の作業に影響を与えないことが実現可能となる。
【００４５】
［第４実施形態（図６〜図８及び図１、２）］
図６〜図８は、本発明に係るスロッシング溢水防止装置の第４実施形態を示している。
【００４６】
図６は、スロッシング溢水防止装置を平面でなく曲面にした際の一例である。
【００４７】
なお、本実施形態でも、第１実施形態に示した治具４の設置場所を若干プールから離す構成となっている。すなわち、燃料貯蔵プールとしての容器１内に収容した水の水面２から床面３までは、余裕をある程度考慮した設計となっており、容器１の縁部から床側に寄った位置に、水面２よりも高い溢水防止用の治具４が設置されている。
【００４８】
また、治具４は、容器縁部から起立する起立壁５と、この起立壁に摺動用連結具６を介して上下に移動可能な移動壁７とを有し、移動壁７の上端には、スロッシング抑え用の例えば湾曲したスロッシング防止片が設けられる。
【００４９】
すなわち、この治具４は、液体を収容する容器の縁部近傍に、湾曲した溢水防止用の治具として構成されている。
【００５０】
このように構成された本実施の形態においては、水平方向の溢水の勢いを鉛直方向に転換することが可能である。
【００５１】
また、図７は、図６に示した構成に比して、治具４の設置位置をプールから離間する側に配置した構成例を示している。
【００５２】
このように構成されたスロッシング溢水防止装置においては、プールから離れることによって、溢水の勢いを少しでも弱くすることが可能である。そのため、高さ方向を低く設計することが可能である。
【００５３】
さらに、図８は、第１実施形態で示した横向き片７ａの先端形状を曲面形状とした場合の一例を示している。
【００５４】
このように構成されたスロッシング溢水防止装置においては、溢水しようとする水の勢いを曲面で受けることが可能である。第１実施形態においては、衝立治具４が直角に加工されているため、スロッシングによる力が一点に集中してしまう可能性があるのに対し、本実施形態では一定の広い面積に亘ってスロッシングによる力を分散させることができる。
【００５５】
［第５実施形態（図９及び図１、２）］
図９は、本発明に係るスロッシング溢水防止装置の第５実施形態を示している。
【００５６】
なお、本実施形態でも、第１実施形態に示した治具４の設置場所を若干プールから離す構成となっている。すなわち、燃料貯蔵プールとしての容器１内に収容した水の水面２から床面３までは、余裕をある程度考慮した設計となっており、容器１の縁部から床側に寄った位置に、水面２よりも高い溢水防止用の治具４が設置されている。
【００５７】
また、治具４は、図１に示したように、容器縁部から起立する起立壁５と、この起立壁に摺動用連結具６を介して上下に移動可能な移動壁７とを有し、移動壁７の上端には、略水平なスロッシング抑え用の横向き片７ａが設けられている。
【００５８】
すなわち、この治具４は、液体を収容する容器の縁部近傍に、上下方向に伸縮可能な進展機構を有する溢水防止用の治具として構成されている。
【００５９】
そして、本実施形態では、図９に示すように、スロッシング溢水防止装置付近の床面に、溢水した時にドレン水をプール側に戻すドレン水溝８が配置されている。
【００６０】
このように構成された本実施の形態においては、溢水が少量時にはドレン水溝８に一時的に収容保持する対応が可能である。
【００６１】
［第６実施形態（図１０及び図１、２）］
図１０は、本発明に係るスロッシング溢水防止装置の第６実施形態を示している。
【００６２】
なお、本実施形態でも、第１実施形態に示した治具４の設置場所を若干プールから離す構成となっている。すなわち、燃料貯蔵プールとしての容器１内に収容した水の水面２から床面３までは、余裕をある程度考慮した設計となっており、容器１の縁部から床側に寄った位置に、水面２よりも高い溢水防止用の治具４が設置されている。
【００６３】
また、治具４は、図１に示したように、容器縁部から起立する起立壁５と、この起立壁に摺動用連結具６を介して上下に移動可能な移動壁７とを有し、移動壁７の上端には、略水平なスロッシング抑え用の横向き片７ａが設けられている。
【００６４】
すなわち、この治具４は、液体を収容する容器１の縁部近傍に、上下方向に伸縮可能な進展機構を有する溢水防止用の治具として構成されている。
【００６５】
そして、本実施形態では、図１０に示すように、第５実施形態のドレン水溝８に溜まった水を排水する配管９と、その配管９が燃料貯蔵プールに返るように設計されている場合に逆止弁１０を設けた構成となっている。
【００６６】
このように構成された本実施の形態においては、ドレン水溝８に水が溜まった際にも自然に水位を下げることが可能で、さらに逆止弁１０を設けることでドレン配管系統から燃料貯蔵プールの水が逆流することを防ぐことが可能である。
【００６７】
［第７実施形態（図１１，１２，１３及び図１、２）］
図１１〜１３は、本発明に係るスロッシング溢水防止装置の第７実施形態を示している。
【００６８】
なお、本実施形態でも、第１実施形態に示した治具４の設置場所を若干プールから離す構成となっている。すなわち、燃料貯蔵プールとしての容器１内に収容した水の水面２から床面３までは、余裕をある程度考慮した設計となっており、容器１の縁部から床側に寄った位置に、水面２よりも高い溢水防止用の治具４が設置されている。
【００６９】
また、治具４は、図１に示したように、容器縁部から起立する起立壁５と、この起立壁に摺動用連結具６を介して上下に移動可能な移動壁７とを有し、移動壁７の上端には、略水平なスロッシング抑え用の横向き片７ａが設けられている。
【００７０】
すなわち、この治具４は、液体を収容する容器の縁部近傍に、上下方向に伸縮可能な進展機構を有する溢水防止用の治具として構成されている。
【００７１】
図１１は、スロッシング溢水防止装置を一体型にした場合の一例を示している。このように構成された本実施の形態においては、装置間の隙間を可能な限り作らないことによって、溢水量を低減することが可能である。
【００７２】
図１２は、スロッシング溢水防止装置を分割型にした際の一例を示している。このように構成された本実施の形態においては、分割型にすることによって、部分的に溢水しようとする際にも対応可能である。
【００７３】
図１３は、図１１のスロッシング溢水防止装置において水面２が上昇した際の一例を示している。このように構成された本実施の形態においては燃料交換用台車１１などの構造物がある個所については一定高さ以上に上昇することが不可能であるが、構造物がない個所については高さ制限がないため、さらに多く伸展することが可能である。
【００７４】
このように構成された本実施の形態においては、溢水量を低減することが可能である。
【００７５】
［第８実施形態（図１４及び図１、２）］
図１４は、本発明に係るスロッシング溢水防止装置の第８実施形態を示している。
【００７６】
なお、本実施形態でも、第１実施形態に示した治具４の設置場所を若干プールから離す構成となっている。すなわち、燃料貯蔵プールとしての容器１内に収容した水の水面２から床面３までは、余裕をある程度考慮した設計となっており、容器１の縁部から床側に寄った位置に、水面２よりも高い溢水防止用の治具４が設置されている。
【００７７】
また、治具４は、図１に示したように、容器縁部から起立する起立壁５と、この起立壁に摺動用連結具６を介して上下に移動可能な移動壁７とを有し、移動壁７の上端には、略水平なスロッシング抑え用の横向き片７ａが設けられている。
【００７８】
すなわち、この治具４は、液体を収容する容器の縁部近傍に、上下方向に伸縮可能な進展機構を有する溢水防止用の治具として構成されている。
【００７９】
そして、本実施形態では、図１４に示すように、スロッシング溢水防止装置に衝撃緩衝用治具８が設置されている。
【００８０】
このように構成された本実施の形態においては、燃料交換用台車１１などの構造物と干渉するような場所に衝撃緩衝用治具１２を設置することで、他の構造物からスロッシング溢水防止装置を守るのことができると同時に、他の構造物に与える影響を最低限に防ぐことが可能である。
【００８１】
［第９実施形態（図１５）］
図１５は、本発明に係るスロッシング溢水防止装置の第９実施形態を示している。
【００８２】
本実施形態では、液体を収容する容器である使用済み燃料プール１の周辺の床面３上に、複数本の支柱１３が所定の間隔で立設されている。そして、これらの支柱１３に対して、可撓性または弾性のある防水シート１７が張られている。この防水シート１４の上縁は、支柱１３の上端部に高強度で止着され、防水シートの下縁は、例えば床面３に密着する状態で支柱１３の下端部に取付けられ、上下縁以外の中間部分の蛇腹状部分は、可撓性または弾性的に膨らむことができるようになっている。また、防水シート１４には、補強ワイヤ１５が設けられている。
【００８３】
そして、通常時である非スロッシング時には、図１５に実線で示すように、防水シート１４が、支柱１３に沿って例えば蛇腹状に折り畳まれて略垂直に張られた状態となっている。これにより、プール周囲での作業の邪魔になることはない。
【００８４】
一方、地震時等においてスロッシングが発生し、地震振動とともに水面２が上昇して床面３上に溢水が生じた場合には、図１５に仮想線で示すように、蛇腹状の防水シート１４がプール水を受けて袋状に撓む状態となり、溢水した水を受け止めて所定位置で保持することができる。そして、一旦水が引いた後に、再度地震振動とともにこの状態が繰返されることになる。この場合、防水シート１４には補強ワイヤ１５が設けられているので、溢水荷重に対する強度が高く、極めて安全性が高いものとなり、床面の一定位置にて溢水を確実に止め、それより外側の周囲への溢水を効果的に抑制することができる。
【００８５】
［第１０実施形態（図１６）］
図１６は、本発明に係るスロッシング溢水防止装置の第１０実施形態を示している。
【００８６】
本実施形態では、液体を収容する容器である使用済み燃料プール１の周辺の上部堰１ａ上に設けられた柵を支柱１３として、プールと反対の面側に対して、可撓性または弾性のある防水シート１４が張られている。この防水シート１４の上焔は、支柱１３の上端部に高強度で止着され、防水シート１４の下端部は、例えば上部堰ａ１の上面に密着する状態で支柱１３の下端位置に取付けられ、上下端部以外の中間部分の蛇腹状部分は、可撓性または弾性的に膨らむことができるようになっている。また、防水シート１４には、補強ワイヤ１５が設けられている。
【００８７】
そして、通常時である非スロッシング時には、図１５に実線で示すように、防水シート１４が、支柱に沿って蛇腹状に折り畳まれて略垂直に張られた状態となっている。これにより、プール周囲での作業の邪魔になることはない。
【００８８】
一方、地震時等においてスロッシングが発生し、地震振動とともにプール水面２が上昇して上部堰１ａ上に溢水が生じた場合には、図１６に仮想線で示すように、蛇腹状の防水シート１４がプール水を受けて袋状に撓む状態となり、溢水した水を上部堰付近の床面３上で受け止め、保持することができる。そして、一端水が引いた後に、再度地震振動とともに，このような状態が繰返されることになる。この場合、防水シート１４には補強ワイヤ１５が設けられているので、溢水荷重に対する強度が高く、極めて安全性が高いものとなり、床面の一定位置にて溢水を確実に止め、それより外側の周囲への溢水を抑制することができる。
【００８９】
［第１１実施形態（図１７〜図２１）］
図１７は、本発明に係るスロッシング溢水防止装置の第１１実施形態の一構成例を示す断面図であり、図１８は、同構成例を示す平面図である。
【００９０】
本実施形態では、容器としての使用済み燃料貯蔵プール１の周縁である上部堰１ａの周囲の床３の所定位置に、下階に通じる大物搬入口１６が設けられている。この大物搬入口１６の周囲部に、水密な材料により構成された立上り壁からなる所定高さの囲い１７が設けられている。
【００９１】
このような構成によると、図１７に示すように、地震時に使用済み燃料プール内でスロッシングが生じ、溢水が起きた場合でも、囲い１７によって下階へのプール水の落下を抑制することができる。
【００９２】
図１９は本発明に係るスロッシング溢水防止装置の第１１実施形態の変形例を示す斜視図であり、図２０は、同構成例を示す作用説明図である。
【００９３】
この変形例では、図１９に示すように、大物搬入口の周囲部に設けられた水密な材料にからなる囲い１７が、可撓性を有する材料、例えば硬質ゴムにより構成されている。
【００９４】
このような可撓性材料によって構成された囲い１７によると、大物搬入口から機器を搬出入する際に、木機を誤って囲いに接触させたような場合、図２０に示すように、囲いが可撓性を有するため一時的に変形１７ｄを生じるが、後には図１９に示すように、原形に復帰する。したがって、いつ地震があっても、下階へのプール水の落下を抑制することができる。
【００９５】
図２１は本発明に係るスロッシング溢水防止装置の第１１実施形態の他の変形例を示す斜視図である。
【００９６】
この他の変形例では、水密な囲い１７の各辺が、複数、例えば３枚に分割された壁１７ａ，１７ｂ，１７ｃを組合せた構成とされている。このような構成によれば、各壁を例えば人力で移動可能とすることにより、囲い１７が機器の搬出入等の妨げとなるような場合には、各壁１７ａ，１７ｂ，１７ｃを移動することにより、設置および取外し等を、容易に行うことができる。
【図面の簡単な説明】
【００９７】
【図１】本発明の第１実施形態によるスロッシング溢水防止装置を示す縦断面図。
【図２】本発明の第１実施形態によるスロッシング溢水防止装置を示す縦断面図。
【図３】本発明の第２実施形態によるスロッシング溢水防止装置を示す縦断面図。
【図４】本発明の第３実施形態によるスロッシング溢水防止装置を示す縦断面図。
【図５】本発明の第３実施形態によるスロッシング溢水防止装置を示す縦断面図。
【図６】本発明の第４実施形態によるスロッシング溢水防止装置を示す縦断面図。
【図７】本発明の第４実施形態によるスロッシング溢水防止装置を示す縦断面図。
【図８】本発明の第４実施形態によるスロッシング溢水防止装置を示す縦断面図。
【図９】本発明の第５実施形態によるスロッシング溢水防止装置を示す縦断面図。
【図１０】本発明の第６実施形態によるスロッシング溢水防止装置を示す縦断面図。
【図１１】本発明の第７実施形態によるスロッシング溢水防止装置を示す縦断面図。
【図１２】本発明の第７実施形態によるスロッシング溢水防止装置を示す縦断面図。
【図１３】本発明の第７実施形態によるスロッシング溢水防止装置を示す縦断面図。
【図１４】本発明の第８実施形態によるスロッシング溢水防止装置を示す縦断面図。
【図１５】本発明の第９実施形態によるスロッシング溢水防止装置を示す縦断面図。
【図１６】本発明の第１０実施形態によるスロッシング溢水防止装置を示す縦断面図。
【図１７】本発明の第１１実施形態によるスロッシング溢水防止装置の一構成例を示す縦断面図。
【図１８】本発明の第１１実施形態によるスロッシング溢水防止装置の一構成例を示す平面図
【図１９】本発明の第１１実施形態によるスロッシング溢水防止装置の変形例を示す斜視図。
【図２０】本発明の第１１実施形態によるスロッシング溢水防止装置の変形例を示す作用説明図。
【図２１】本発明の第１１実施形態によるスロッシング溢水防止装置の他の変形例を示す斜視図。
【図２２】従来の溢水防止装置を示す構成図。
【符号の説明】
【００９８】
１  容器
１ａ  上部堰
２  水面
３  床面
４  治具
５  起立壁
６  連結具
７  移動壁
８  ドレン水溝
９  配管
１０  逆止弁
１１  燃料交換用台車
１２  衝撃緩衝用治具
１３  柱
１４  防水シート
１５  補強ワイヤ
１６  大物搬入口
１７  囲い
１７ａ，１７ｂ，１７ｃ  壁
【図１】
2006329799.tif 000003
【図２】
2006329799.tif 000004
【図３】
2006329799.tif 000005
【図４】
2006329799.tif 000006
【図５】
2006329799.tif 000007
【図６】
2006329799.tif 000008
【図７】
2006329799.tif 000009
【図８】
2006329799.tif 000010
【図９】
2006329799.tif 000011
【図１０】
2006329799.tif 000012
【図１１】
2006329799.tif 000013
【図１２】
2006329799.tif 000014
【図１３】
2006329799.tif 000015
【図１４】
2006329799.tif 000016
【図１５】
2006329799.tif 000017
【図１６】
2006329799.tif 000018
【図１７】
2006329799.tif 000019
【図１８】
2006329799.tif 000020
【図１９】
2006329799.tif 000021
【図２０】
2006329799.tif 000022
【図２１】
2006329799.tif 000023
【図２２】
2006329799.tif 000024